(57)【要約】【課題】構造が簡単で製造に手数を要さず、取り扱いが容易で、揮散成分を長期間に亘って安定して揮散させることができる揮散成分保持材を提供すること。【解決手段】合成樹脂材料からなる揮散成分保持材１であって、揮散成分を配合した合成樹脂材料を中空線状に成形する。【選択図】図１
2010193722.tif 000002
【特許請求の範囲】
【請求項１】
合成樹脂材料からなる揮散成分保持材であって、揮散成分を配合した合成樹脂材料を中空線状に成形してなることを特徴とする揮散成分保持材。
【請求項２】
揮散成分が揮散性害虫防除成分からなることを特徴とする請求項１記載の揮散成分保持材。
【請求項３】
揮散成分が芳香成分からなることを特徴とする請求項１記載の揮散成分保持材。
【請求項４】
請求項１、２又は３記載の揮散成分保持材を簾状に接続してなることを特徴とする揮散成分保持材連結体。
【請求項５】
請求項４記載の揮散成分保持材連結体の端部に、揮散成分を配合していない合成樹脂材料を線状に成形してなるダミー材を接続してなることを特徴とする揮散成分保持材連結体。
【請求項６】
請求項１〜３記載の揮散成分保持材及び請求項４〜５記載の揮散成分保持材連結体のいずれかを通気性を有する容器に配してなることを特徴とする揮散成分揮散具。
【発明の詳細な説明】
【技術分野】
【０００１】
本発明は、揮散性害虫防除成分や芳香成分等の揮散成分を保持するとともに、長期間に亘って安定して揮散させることができる揮散成分保持材、揮散成分保持材連結体及び揮散成分揮散具に関するものである。
【背景技術】
【０００２】
従来、揮散性殺虫成分や揮散性害虫忌避成分等の揮散性害虫防除成分を揮散成分とする害虫防除器が提案され、実用化されている。
ところで、この種の害虫防除器には、ヒータの熱等によって揮散性害虫防除成分の揮散を補助する加熱方式のものと、常温状態で揮散性害虫防除成分を揮散させる非加熱方式のものとがある。
そして、従来の害虫防除器は、加熱方式のものが主流であったが、近年、特に屋外での使用に供されるものにおいては、ヒータ等の熱源を必要としない非加熱方式のものに代わりつつある。
【０００３】
このような非加熱方式の害虫防除器の一例として、揮散成分保持材とファンを備えており、揮散成分保持材に、ファンによって生じた気流を当てて、揮散成分を大気中に揮散させるもののほか、揮散成分保持材を大気中に置いて、揮散成分を大気中に揮散させるものも実用化されている（例えば、特許文献１〜３参照）。
【先行技術文献】
【特許文献】
【０００４】
【特許文献１】特開平７−２３６３９９号公報
【特許文献２】特開２００３−１６０７７８号公報
【特許文献３】特開２００１−２００２３９号公報
【発明の概要】
【発明が解決しようとする課題】
【０００５】
しかしながら、従来の害虫防除器に用いられる揮散成分保持材は、構造が複雑で製造に手数を要したり、取り扱いに手数を要したり、揮散成分を長期間に亘って安定して揮散させることが困難である等の問題があり、これらの問題点のない揮散成分保持材の開発が望まれていた。
【０００６】
本発明は、上記従来の揮散成分保持材の有する問題点に鑑み、構造が簡単で製造に手数を要さず、取り扱いが容易で、揮散成分を長期間に亘って安定して揮散させることができる揮散成分保持材、揮散成分保持材連結体及び揮散成分揮散具を提供することを目的とする。
【課題を解決するための手段】
【０００７】
上記目的を達成するため、本発明の揮散成分保持材は、合成樹脂材料からなる揮散成分保持材であって、揮散成分を配合した合成樹脂材料を中空線状に成形してなることを特徴とする。
【０００８】
この場合において、揮散成分に揮散性害虫防除成分や芳香成分を用いることができる。
【０００９】
また、上記揮散成分保持材を簾状に接続し、揮散成分保持材連結体として用いることができる。
【００１０】
また、揮散成分保持材連結体の端部に、揮散成分を配合していない合成樹脂材料を線状に成形してなるダミー材を接続して用いることができる。
【００１１】
また、上記揮散成分保持材及び揮散成分保持材連結体のいずれかを通気性を有する容器に配して揮散成分揮散具とすることができる。
【発明の効果】
【００１２】
本発明の揮散成分保持材によれば、合成樹脂材料からなる揮散成分保持材であって、揮散成分を配合した合成樹脂材料を中空線状に成形してなることから、構造が簡単で製造に手数を要さず、取り扱いが容易で、揮散成分を長期間に亘って安定して揮散させることができる。
【００１３】
この場合、揮散成分に揮散性害虫防除成分や芳香成分を用いることにより、害虫の防除や安らぎのある快適適な住環境の維持を容易に行うことができる。
【００１４】
また、上記揮散成分保持材を簾状に接続し、揮散成分保持材連結体として用いることにより、揮散成分保持材の取り扱いが一層容易になるとともに、意匠性を向上することができる。
【００１５】
また、揮散成分保持材連結体の端部に、揮散成分を配合していない合成樹脂材料を線状に成形してなるダミー材を接続して用いることにより、例えば、揮散成分に揮散性害虫防除成分を用いた場合に、揮散成分保持材に直接触れることなく揮散成分保持材連結体を取り扱うことができる。
【００１６】
また、上記揮散成分保持材及び揮散成分保持材連結体のいずれかを通気性を有する容器に配して揮散成分揮散具とすることにより、例えば、揮散成分に揮散性害虫防除成分を用いた場合に、揮散成分保持材に直接触れることをなくすことができるとともに、意匠性を向上することができる。
【図面の簡単な説明】
【００１７】
【図１】本発明の揮散成分保持材を簾状に接続した揮散成分保持材連結体の一実施例を示す正面図である。
【図２】本発明の揮散成分揮散具を示し、（Ａ）は正面図、（Ｂ）は一部断面の側面図、（Ｃ）は背面図である。
【図３】本発明の揮散成分揮散具の斜視図である。
【発明を実施するための形態】
【００１８】
以下、本発明の揮散成分保持材、揮散成分保持材連結体及び揮散成分揮散具の実施の形態を、図面に基づいて説明する。
【００１９】
図１〜図３に、本発明の揮散成分保持材、揮散成分保持材連結体及び揮散成分揮散具の一実施例を示す。
【００２０】
この揮散成分保持材は、図１に示すように、揮散成分を練り込みにより配合した合成樹脂材料を中空線状（直径２〜１０ｍｍ程度、好ましくは、直径３〜５ｍｍ程度のストロー状）に成形（例えば、押出成形によって成形）してなるもので、さらに、所定長さに切断した揮散成分保持材１を紐２によって簾状に接続し、揮散成分保持材連結体１０に形成するようにしたものある。
【００２１】
この揮散成分保持材１は、揮散成分を練り込みにより配合した合成樹脂材料を中空線状に成形してなることから、構造が簡単で製造に手数を要さず、取り扱いが容易で、揮散成分を長期間に亘って安定して揮散させることができる。
さらに、揮散成分保持材１を簾状に接続し、揮散成分保持材連結体１０として用いることにより、揮散成分保持材１の取り扱いが一層容易になるとともに、意匠性を向上することができる。
【００２２】
ここで、揮散成分保持材１を構成する合成樹脂材料に揮散成分を練り込む方法としては、揮散成分保持材１を構成する合成樹脂材料に、揮散成分を直接練り込む方法を採用することもできるが、本実施例においては、均一な分散性等を考慮して、揮散成分保持材１を構成する合成樹脂材料と同種又は親和性のよい合成樹脂材料に、揮散成分を配合したマスターバッチを作成し、このマスターバッチを揮散成分保持材１を構成する合成樹脂材料に混合する方法を採用するようにしている。
【００２３】
揮散成分保持材１に保持される揮散成分の量は、揮散成分保持材１の用途、使用状況、試用期間等により適宜設定することができ、一般的には、揮散成分保持材１を構成する合成樹脂材料１ｇ当たり、０．００１ｇ〜１０ｇ、好ましくは、０．０１ｇ〜５ｇ、より好ましくは、０．０５ｇ〜１ｇである。
【００２４】
揮散成分保持材１は、上記のとおり、中空線状（直径２〜１０ｍｍ程度、好ましくは、直径３〜５ｍｍ程度のストロー状）に成形したものであるが、肉厚は、揮散成分保持材１の用途、使用状況、試用期間等により適宜設定することができ、一般的には、０．０５〜２ｍｍ、好ましくは、０．１〜１ｍｍ、より好ましくは、０．２〜０．５ｍｍである。
【００２５】
また、揮散成分保持材１は、揮散成分保持材１を構成する合成樹脂材料に発泡剤を混合して成形することができる。
これにより、揮散成分保持材１の表面積を増大させ、揮散成分の揮散性を向上することができるとともに、揮散成分保持材１に天然素材の風合いを持たせることができ、揮散成分保持材１を簾状に接続して揮散成分保持材連結体１０として用いた場合の意匠性を一層向上することができる。
【００２６】
また、揮散成分保持材１を構成する合成樹脂材料に混合するマスターバッチには、上記揮散成分を配合したマスターバッチに加え、着色成分、酸化防止剤、紫外線吸収剤等の補助剤を配合したマスターバッチを併せて混合することができる。
【００２７】
揮散成分を練り込みにより配合する合成樹脂材料には、ポリプロピレン樹脂等のポリオレフィン樹脂、塩化ビニル樹脂、ポリエチレンテレフタレート樹脂、ポリウレタン樹脂、ポリアミド樹脂等の公知の樹脂材料を用いることができる。
【００２８】
また、揮散成分には、揮散性害虫防除成分や芳香成分を、その用途に応じて、選択的に、１種類のみ又は２種類以上を混合して用いることができる。
【００２９】
このうち、揮散性害虫防除成分としては、公知の常温揮散性の揮散性殺虫成分や揮散性害虫忌避成分を広く使用することができ、より具体的には、メトフルトリン、トランスフルトリン、プロフルトリン等のピレスロイド系の揮散性殺虫成分やディート等の揮散性害虫忌避成分を好適に用いることができる。
【００３０】
そして、揮散成分に揮散性害虫防除成分を用いる場合には、揮散成分保持材連結体１０の端部に、揮散成分を配合していない合成樹脂材料を線状に成形してなるダミー材３を接続して用いることにより、揮散成分保持材１に直接触れることなく揮散成分保持材連結体１０を取り扱うことができる。
この場合、揮散成分保持材１を、ダミー材３とは異なる色に着色（例えば、揮散成分保持材１は緑色、ダミー材３は白色）することにより、揮散成分保持材１とダミー材３の識別を容易に行うことができようにすることができる。
【００３１】
また、芳香成分としては、公知の芳香成分を広く使用することができ、より具体的には、ラベンダー、レモングラス、ハッカ等のハーブ類、ヒノキ等の木材等から精製した天然植物精油等の芳香成分を好適に用いることができる。
これにより、安らぎのある快適適な住環境の維持を容易に行うことができる。
【００３２】
また、揮散成分保持材１及び／又は揮散成分保持材連結体１０は、そのまま適用することもできるが、図２〜図３に示すように、通気性を有する容器４（特に限定されるものではないが、本実施例においては、合成樹脂材料製の格子状容器を用いるようにしている。）に配して揮散成分揮散具２０として用いることができる。
これにより、例えば、揮散成分に揮散性害虫防除成分を用いた場合に、揮散成分保持材１に直接触れることをなくすことができるとともに、意匠性を向上することができる。
この場合、揮散成分保持材１及び／又は揮散成分保持材連結体１０の効力持続期間が経過した場合には、使用者が、容器４から揮散成分保持材１及び／又は揮散成分保持材連結体１０を取り出し、新たな揮散成分保持材１及び／又は揮散成分保持材連結体１０を装着するようにすることもできる。
なお、本実施例の容器４は、ベランダ等に吊り下げて使用することができるように、フック４１を備えるようにしているが、使用中に風等によって揮散成分揮散具２０が飛ばないように、フック４１の開放端を閉止する掛止機構を設けることもできる。
また、本実施例の容器４は、吊り下げて使用する形式のものであるが、携帯形式や設置形式の容器を用いることもできる。
【００３３】
次に、図１に記載した揮散成分保持材連結体１０の効力試験結果について説明する。
【００３４】
１．目的
図１に記載した揮散成分保持材連結体１０の効力試験を、アカイエカに対して、Peet Grady Chamberにて実施した。
【００３５】
２．供試虫
アカイエカ雌成虫（Culex pipiens pallens）
羽化後５〜６日齢
住化テクノサービス株式会社累代飼育系統
【００３６】
３．試験材料
【００３７】
【表１】
2010193722.tif 000003
【００３８】
４．方法
（１）供試検体をPeet Grady Chamber（１．８ｍ×１．８ｍ×１．８ｍ：約５．８ｍ３）の天井面中央付近から下端が床から約１．０ｍの高さになるように吊り下げた。
（２）１回目は無風条件で実施し、２回目は風有り条件で実施した。
風有り条件の場合、試験中は扇風機をチャンバの隅に設置し、試験中空気を攪拌した。
扇風機：日立製作所９２年製（Ｈ−Ｅ３１ＲＦ型、Ｈ−３０６ＲＦ）。羽の直径：３０ｃｍ、高さ：７０ｃｍ、回転数３３０±１０ｒｐｍ、首振りなし。検体の反対方向（壁側）を向け、羽は床面に対して垂直に設置した。なお、網籠（高さ７０ｃｍ）で扇風機全体を覆った。
（３）検体設置直後にチャンバの小窓から供試虫約５０頭を放飼した。
（４）試験開始２、３、５、７、１０、１５、２０、２５、３０、３５、４５、６０、９０、１２０分後のランディング数（ＬＤ）及びノックダウン数（ＫＤ）を調査し、プロビット法によりＬＴ５０値、ＫＴ５０値を算出した。
（５）放飼１２０分後又は６０分後に供試虫を回収し、餌（３％砂糖水を含ませた脱脂綿）を与え、気温２５℃、湿度６０％条件下にて管理し、２４時間後に苦死虫数を調査した。
【００３９】
５．試験結果
【００４０】
【表２】
2010193722.tif 000004
【００４１】
［用語説明］
・ランディング：蚊が地面に降りて飛ばなくなること
・ノックダウン：ランディングした蚊がひっくり返って仰向けになること
・ＬＴ５０（ｍｉｎ）：蚊を放ってからランディング数が５０％に達するまでにかかった時間（この数値が低いほど効力が高い）
・ＫＴ５０（ｍｉｎ）：蚊を放ってからノックダウン数が５０％に達するまでにかかった時間（この数値が低いほど効力が高い）
・ＫＩＬＬ率（％）：試験後に回収し、２４時間放置した蚊の死亡率
【００４２】
６．考察
揮散成分保持材連結体１０と比較例の網状揮散成分保持材のアカイエカ雌成虫に対する効力は、無風の条件下では、揮散成分保持材連結体１０はばらつきが少なく、比較例の網状揮散成分保持材はばらつきが大きかった。揮散成分保持材連結体１０と比較例の網状揮散成分保持材の効力は共に確認できた。
また、風有りの条件下では、揮散成分保持材連結体１０と比較例の網状揮散成分保持材の効力はほぼ同じ値を示した。
【００４３】
以上、本発明の揮散成分保持材、揮散成分保持材連結体及び揮散成分揮散具について、その実施例に基づいて説明したが、本発明は上記実施例に記載した構成に限定されるものではなく、その趣旨を逸脱しない範囲において適宜その構成を変更することができるものである。
【産業上の利用可能性】
【００４４】
本発明の揮散成分保持材、揮散成分保持材連結体及び揮散成分揮散具は、構造が簡単で製造に手数を要さず、取り扱いが容易で、揮散成分を長期間に亘って安定して揮散させることができることから、揮散成分に揮散性害虫防除成分を用いることによって、害虫防除の用途に好適に用いることができるほか、例えば、揮散成分に芳香成分を用いることによって、安らぎのある快適適な住環境の維持するための用途にも用いることができる。
【符号の説明】
【００４５】
１    揮散成分保持材
２    紐
３    ダミー材
４    容器
１０  揮散成分保持材連結体
２０  揮散成分揮散具
【図２】
2010193722.tif 000005
【図３】
2010193722.tif 000006
【図１】
2010193722.tif 000007